(57)【要約】【目的】確実に動きの機敏なねずみの監視ができる監視システムを提供することを目的とする。【構成】ねずみの監視システムは、ねずみの通過を検知する検知装置１、前記検知装置１の検知により作動する監視カメラ２、前記監視カメラ２の映像を格納する映像格納装置３、前記映像格納装置３にネッワーク５を介して接続された端末装置４、前記端末装置４に監視カメラからの画像を表示させることである。【選択図】  図１
2004266735.tif 000002
【特許請求の範囲】
【請求項１】
ねずみの通過を検知する検知装置、前記検知装置の検知により作動する監視カメラ、前記監視カメラの映像を格納する映像格納装置、前記映像格納装置にネッワークを介して接続された端末装置、前記端末装置に監視カメラからの画像を表示させることを特徴とするねずみの監視システム。
【請求項２】
検知装置は、前記監視カメラの前をねずみが通過する前後及び前後間の３点を検知することを特徴とする請求項１記載のねずみの監視システム。
【発明の詳細な説明】
【０００１】
【発明の属する技術分野】
本発明はねずみの監視システム、詳しくは、監視カメラからの画像を遠方の端末装置に表示させることにより、ねずみの監視をすることができる監視システムに関する。
【０００２】
【従来の技術】
従来、監視システムとしては、監視カメラを設置し、この監視カメラからの画像を携帯電話機に表示して、携帯電話機を用いて家屋内外の監視を可能にしたシステムがある（特許文献１参照）。
【０００３】
【特許文献１】特開２００１−２９２４４２号公報
【０００４】
又、監視システムとして、不審者が侵入したり火災が発生するとセンサーが働き、それに対応して監視カメラが映像を撮影する監視システムがある（特許文献２参照）。
【０００５】
【特許文献２】特開２０００−６９４５９号公報
【０００６】
特許文献１、２記載の技術内容では、音を検出する音響センサー、温度を検出する温度センサー、赤外線や可視光を検出する光センサー等のセンサーが反応すると、センサーが反応した個所に監視カメラが作動して、異常発生原因が把握できる映像を撮影し、遠方の携帯電話にその映像を表示することができる。
【０００７】
【発明が解決しようとする課題】
この様な監視システムでは、不審者の侵入や火災等の異常が発生した際、監視カメラで映像を撮影して、不審者や火災の映像を表示する事ができるが、動きの機敏な、例えば、ねずみの監視の場合には、機敏なねずみの動きに監視カメラが対応しきれず、確実にねずみを撮影することは困難である。
【０００８】
本発明は、かかる点に鑑みなされたもので、確実に動きの機敏なねずみの監視ができる監視システムを提供することを目的とする。
【０００９】
【課題を解決するための手段】
上記目的を達成すべく、本発明にかかるねずみの監視システムは、ねずみの通過を検知する検知装置、前記検知装置の検知により作動する監視カメラ、前記監視カメラの映像を格納する映像格納装置、前記映像格納装置にネットワークを介して接続された端末装置、前記端末装置に監視カメラからの画像を表示させることを特徴とする。
【００１０】
この監視システムでは、ねずみが通過すると検知装置が検知し、監視カメラがねずみを撮影し、その映像は映像格納装置に格納され、ネットワークを介して接続されている端末装置に監視カメラからの画像を表示し、ねずみの撮影ができる。
【００１１】
好ましくは、検知装置は、前記監視カメラの前をねずみが通過する前後及び前後間の３点を検知することを特徴とする。
【００１２】
検知装置は監視カメラの前をねずみが通過する前後及び前後間の３点を検知するので、３点で監視カメラがねずみを撮影し、前記端末装置に監視カメラからの画像を表示させることができる、確実にねずみの撮影ができる。
【００１３】
【発明の実施の形態】
本発明にかかる一実施例を図１乃至図３に基ずいて説明する。
図中、図１に示す様に、１はねずみの通過を検知する検知装置、２は検知装置１の検知により作動する監視カメラ、３は監視カメラ２の映像を格納する映像格納装置、４は映像格納装置３にネットワーク５接続された端末装置である。
検知装置１は、監視カメラ２の前をねずみが通過する前後及び前後間の３点を検知する。
【００１４】
検知装置１は、図２に示す様に、センサーとして赤外線センサー１ａ、１ａ、１ａを設け、この赤外線センサー１ａ、１ａ、１ａからねずみの赤外線を検知した検知信号が出力された場合に、監視カメラ２がねずみを撮影する様に、監視カメラ２に検知信号を送信するコントロール部を有している。
【００１５】
赤外線センサー１ａ、１ａ、１ａは、監視カメラ２の撮影範囲である左右の境界線部分と左右の境界線間の３点に設けられて、監視カメラ２の前の３点でねずみを検知し、監視カメラ２の前をねずみが通過する時は、ねずみが通過する前後、前後間の３点で監視カメラ２に検知信号を送信する。
【００１６】
検知装置１のセンサーとしては、赤外線センサー１ａ、１ａ、１ａを使用しているが、温度を検知する温度センサー、赤外線や可視光を検知する光センサー、ねずみの重さを検知する、図３に示す圧力センサー１ｂ、１ｂ、１ｂとあっても良い。
図３に示す圧力センサー１ｂ、１ｂ、１ｂであっては、このセンサー１ｂ、１ｂ、１ｂ上にねずみが移動すると、ねずみが通過する前後、前後間の３点で監視カメラ２に検知信号を送信する。
これらセンサーを使用する場合であっても、赤外線センサー１ａ、１ａ、１ａと同様に、監視カメラ２の撮影範囲である左右の境界線部分と左右の境界線間の３点に設けられて、監視カメラ２の前の３点でねずみを検知し、監視カメラ２の前をねずみが通過する時は、ねずみが通過する前後、前後間の３点で監視カメラに検知信号を送信する。
【００１７】
検知装置１の赤外線センサー１ａ、１ａ、１ａからの検知信号により、監視カメラ２はねずみを撮影する。
この監視カメラ２は、暗い屋内であっても撮影可能に赤外線ＣＣＤ素子を装着しているが、赤外線ＣＣＤ素子を装着せずに、屋内を撮影するものであっても良い。
また、この監視カメラ２は、上下左右に動くことなく、固定して定点監視できるカメラで、検知装置１の赤外線センサー１ａ、１ａ、１ａからの検知信号により、３点を撮影するものである。
したがって、監視カメラ２は、ねずみが監視カメラ２の前を通過すると、赤外線センサー１ａ、１ａ、１ａの検知信号により、ねずみの前部分、全体部分、後ろ部分の３点を撮影する。
【００１８】
映像格納装置３は監視カメラ２の映像を格納する装置で、ネットワークに接続する為のサーバ、端末装置使用者を認証するための認証サーバ、ユーザ情報など各種データーベースを管理するデーターベース、サーバ機能をもつコンピューターとしても良い。
【００１９】
映像格納装置３は本実施例ではコンピューターで、本願の監視システムの各機能を実現させる為のプログラムが格納され、ネットワーク５として無線、有線に限らず専用回線、電話回線などに接続されたインターネットなどに接続されている。
【００２０】
この映像格納装置３には、監視カメラ２が撮影した映像である、ねずみの前部分、全体部分、後ろ部分の３点の映像が格納されている。
本実施例では１箇所の監視カメラの場合で説明しているが、複数箇所に監視カメラを設置すると、その監視カメラごとにねずみの画像がわかるべく映像格納装置３にはプログラムされている。
【００２１】
映像格納装置３にはネットワーク５を介して端末装置４が接続されている。
端末装置４としては携帯電話であっても良く、携帯電話からキー入力された情報によりネットワーク５を介して映像格納装置３に接続することができる。
携帯電話からのキー入力により、映像格納装置３に格納されているねずみの画像を携帯電話の表示部に表示して、監視カメラ２からの映像を閲覧する事ができる。
【００２２】
端末装置４として携帯電話の場合で説明したが、パーソナルコンピューターであっても良い。
パーソナルコンピューターであれば、ネッワーク５を介して映像格納装置３に接続することができ、上記と同様に、パーソナルコンピューターのキー入力により、映像格納装置３に格納されているねずみの画像をパーソナルコンピューターの表示部に表示して、監視カメラ２からの映像を閲覧する事ができる。
【００２３】
かかる監視システムでは、監視カメラ２の前をねずみが通過すると、監視カメラ２の撮影範囲である左右の境界線部分と左右の境界線間の３点に検知装置２の赤外線センサー１ａ、１ａ、１ａが設けられているので、監視カメラ２の前の３点で赤外線センサー１ａ、１ａ、１ａがねずみを検知し、ねずみが通過する前後、前後間の３点で監視カメラ２に検知信号を送信する。
【００２４】
監視カメラ２に検知信号が送信されると、それにより、監視カメラ２は３回撮影し、監視カメラ２の前の３点での映像は映像格納装置３に格納される。
【００２５】
ねずみが監視カメラ２の前を通過することなく、監視カメラ２の撮影範囲である左右の境界線部分のいずれかに触れると、その個所で監視カメラ２に検知信号が送信される。
そのため、かかる場合には、１点だけで赤外線センサー１ａがねずみを検知し、監視カメラ２に検知信号を送信する。
それにより、監視カメラ２は１回撮影し、監視カメラ２の前の１点での映像は映像格納装置３に格納される。
【００２６】
端末装置４として携帯電話を使用する場合には、携帯電話からキー入力された情報によりネットワーク５を介して映像格納装置３に接続し、その後、携帯電話からのキー入力により、映像格納装置３に格納されているねずみの画像を携帯電話の表示部に表示して、監視カメラ２からの映像を閲覧する事ができる。
【００２７】
【発明の効果】
本発明によれば、ねずみの通過を検知する検知装置、前記検知装置の検知により作動する監視カメラ、前記監視カメラの映像を格納する映像格納装置、前記映像格納装置にネッワークを介して接続された端末装置、前記端末装置に監視カメラからの画像を表示させることができるので、ねずみが通過すると検知装置が検知し、監視カメラがねずみを撮影し、その映像は映像格納装置に格納され、ネットワークを介して接続されている端末装置に監視カメラからの画像を表示し、ねずみの撮影ができる。
【００２８】
また、検知装置は、監視カメラの前をねずみが通過する前後及び前後間の３点を検知するので、３点で監視カメラがねずみを撮影し、前記端末装置に監視カメラからの画像を表示させることができる、確実にねずみの撮影ができる。
【図面の簡単な説明】
【図１】本発明にかかる一実施例であるねずみの監視システム構成を示す図である。
【図２】図１に示す監視カメラと検知装置の説明図である。
【図３】本発明にかかる他の実施例を示す監視カメラと検知装置の説明図である。
【符号の説明】
１は検知装置
２は監視カメラ
３は映像格納装置
４は端末装置
５はネットワーク
【図１】
2004266735.tif 000003
【図２】
2004266735.tif 000004
【図３】
2004266735.tif 000005